(57)【要約】【課題】労働管理を適正なものとすることができる技術を提供する。【解決手段】管理サーバ１０は、運転者による車両運転状況を表す運行データに基づいて運転者の運転操作傾向を解析する解析部１１と、運転開始前の運転者の顔を撮像した撮像データと運転者の発話内容を表す発話音データとの少なくとも一方を取得し、取得したデータを用いて運転者の不随意反応を検出する検出部１２と、解析部１１による解析結果及び検出部１２の検出結果を所定条件と照合することにより運転者による検出部１２による検出日の運転の危険度を診断する診断部１３と、診断部１３が診断した危険度に応じた指示情報を出力する出力部１４と、を備える。【選択図】図１
2020030552.tif 000002
【特許請求の範囲】
【請求項１】
運転者による車両運転状況を表す運行データに基づいて前記運転者の運転操作傾向を解析する解析手段と、
運転開始前の前記運転者の顔を撮像した撮像データと前記運転者の発話内容を表す発話音データとの少なくとも一方を取得し、取得したデータを用いて前記運転者の不随意反応を検出する検出手段と、
前記解析手段による解析結果及び前記検出手段の検出結果を所定条件と照合することにより前記運転者による前記検出手段による検出日の運転の危険度を診断する診断手段と、
前記診断手段が診断した危険度に応じた指示情報を出力する出力手段と、
を備えることを特徴とする、運行管理装置。
【請求項２】
前記解析手段は、運転開始日直前のブレーキ操作、アクセル操作、ハンドル操作又はこれらの複合操作の傾向解析の結果を複数の運転者の解析結果の統計値に基づいて定量化し、
前記診断手段は、前記傾向解析の結果に対して所定の基準に基づくスコアを付与するとともに、前記検出日を起算とする所定期間毎に前記スコアを集計し、集計結果に基づいて前記検出日における運転操作傾向を複数レベルの危険度のうちいずれのレベルに属するかを決定する、
請求項１に記載の運行管理装置。
【請求項３】
前記解析手段は、運転開始日直前のブレーキ操作、アクセル操作、ハンドル操作又はこれらの複合操作の傾向解析の結果を、複数の運転者のブレーキ操作、アクセル操作、ハンドル操作又はこれらの複合操作の解析結果の散布図に基づいて定量化する、
請求項２に記載の運行管理装置。
【請求項４】
前記検出手段は、前記撮像データと所定の参照データとの照合処理により前記運転者の表情を抽出し、抽出した表情をそれ以前に抽出して記憶された前記運転者の表情と比較することにより、前記不随意反応を検出する、
請求項１に記載の運行管理装置。
【請求項５】
前記検出手段は、前記照合処理により、怒り、軽蔑、嫌悪、恐怖、喜び、悲しみ、驚きのうち、それ以前に抽出して記憶されたものと異なる一つ以上の特徴を前記不随意反応として検出し、
前記診断手段は、検出された特徴に対して所定の基準に基づくスコアを付与するとともに、前記検出日を起算とする所定期間毎に前記スコアを集計し、集計結果に基づいて前記検出日における不随意反応を複数レベルの危険度のうちいずれのレベルに属するかを決定する、
請求項４に記載の運行管理装置。
【請求項６】
前記検出手段は、前記発話音データの音声処理により前記運転者に固有の音帯特徴を抽出し、抽出した音帯特徴をそれ以前に抽出した前記運転者の音帯特徴と比較することにより、前記不随意反応を検出する、
請求項１に記載の運行管理装置。
【請求項７】
前記検出手段は、前記音帯特徴から体調に応じて数値が変化する元気圧を算定するとともに、それ以前に算定された前記運転者の元気圧との差分値を前記不随意反応として検出し、
前記診断手段は、検出された差分値に対して所定の基準に基づくスコアを付与するとともに、前記検出日を起算とする所定期間毎に前記スコアを集計し、集計結果に基づいて前記検出日における不随意反応を複数レベルの危険度のうちいずれのレベルに属するかを決定する、
請求項６に記載の運行管理装置。
【請求項８】
前記診断手段は、前記診断結果を赤、黄又は緑の色画像と対応付けて、所定の表示装置に表示させる、
請求項５又は７に記載の運行管理装置。
【請求項９】
前記診断手段は、赤、黄又は緑の色画像毎に、当該診断結果に対応するメッセージ情報を出力する、
請求項８に記載の運行管理装置。
【請求項１０】
コンピュータを、
運転者による車両運転状況を表す運行データに基づいて前記運転者の運転操作傾向を解析する解析手段、
運転開始前の前記運転者の顔を撮像した撮像データと前記運転者の発話内容を表す発話音データとの少なくとも一方を取得し、取得したデータを用いて前記運転者の不随意反応を検出する検出手段、
前記解析手段による解析結果及び前記検出手段の検出結果を所定条件と照合することにより前記運転者による前記検出手段による検出日の運転の危険度を診断する診断手段、
前記診断手段が診断した危険度に応じた指示情報を出力する出力手段、として機能させる運行管理用コンピュータプログラム。
【発明の詳細な説明】
【技術分野】
【０００１】
本発明は、商用車の運転者の管理装置に係り、例えば運転者点呼時における運転適格性を客観的に把握する技術に関する。
【背景技術】
【０００２】
貨物自動車運送事業輸送安全規則によれば、運送事業者は、運転乗務員に対して運転者点呼を行う必要があるとされる。ここにいう「運転者点呼」は、運転業務を開始する運転乗務員や運転業務を終了した運転乗務員が運転者「本人」であることを認証する作業であるが、運転開始前にその日の運転乗務員の健康状態（酒気の有無を含む）を確認したり、運行の安全を確保するために必要な指示を各運転乗務員に行うこと、つまり、危険な運転又は車両事故の発生を限りなくゼロにすることが大きな目的となっている。
【０００３】
運転者点呼は、一般に運行管理者が、受診する運転乗務員と対面することにより行われる。このような形態の運転者点呼は「対面点呼」と呼ばれる。しかし、対面点呼では、特定の時間帯に多くの運転乗務員が集中することがあり、順番を待つ運転乗務員にストレスを与え、その後の運転に支障を生じさせかねない問題がある。運行管理者にとっても注意が行き届かず、適切な指示を与えることができない場合がある。
【０００４】
このような問題を解決する従来技術例として、特許文献１に開示された運転者点呼システムでは、運転者すなわち運転乗務員の血圧、アルコール濃度、体温を計測する健康管理システム部を本人認証用の点呼システム部に連動させ、運転者点呼中に、健康管理システム部による計測結果を表示装置に表示させている。健康管理システム部は、映像カメラ、マイクを有する面談端末も備えており、これにより、運行管理者による運転乗務員の健康状態の把握が容易になるほか、現在の健康状態が面談端末を通じて運転乗務員に伝えられることにより、運転乗務員本人よる健康意識の向上も可能になるとされる。
【先行技術文献】
【特許文献】
【０００５】
【特許文献１】特開２０１７−６８６５６号公報
【発明の概要】
【発明が解決しようとする課題】
【０００６】
特許文献１に開示されている運転者点呼システムは、運転時点呼の際の運転乗務員の健康状態を血圧等の測定データを通じて短時間で把握できる利点はあるが、１回の測定データだけでその運転乗務員の運転開始後の運行状況を予測することは困難である。
熟練した運転乗務員による車両事故は、一瞬の油断（集中力欠如等）が原因になる場合が多いといわれる。そして、そのような集中力欠如を生じさせる兆候、例えば睡眠不足、ストレス、本人も気がついていない病気の前兆は、その運転乗務員と長く接している運行管理者であれば察知できる可能性があると考えられるが、そうでない運転管理者の場合、それは困難である。
このような問題は、運転乗務員の労働管理の観点からも改善が求められていた。
本発明は、上記の問題を解消し、乗務員本人ですら認識できない、集中力欠如を生じさせる兆候を察知することを容易にし、これにより、労働管理を適正なものとすることができる技術を提供することを主たる課題とする。  
【課題を解決するための手段】
【０００７】
本発明の運行管理装置は、運転者による車両運転状況を表す運行データに基づいて前記運転者の運転操作傾向を解析する解析手段と、運転開始前の前記運転者の顔を撮像した撮像データと前記運転者の発話内容を表す発話音データとの少なくとも一方を取得し、取得したデータを用いて前記運転者の不随意反応を検出する検出手段と、前記解析手段による解析結果及び前記検出手段の検出結果を所定条件と照合することにより前記運転者による前記検出手段による検出日の運転の危険度を診断する診断手段と、前記診断手段が診断した危険度に応じた指示情報を出力する出力手段と、を備えることを特徴とする。
【発明の効果】
【０００８】
本発明によれば、運転乗務員本人ですら認識できない油断を生じさせる兆候を察知することを容易にし、これにより、労働管理を適正なものとすることができる運行管理装置を提供することができる。
【図面の簡単な説明】
【０００９】
【図１】乗務員管理システムの全体構成例を示す図。
【図２】データサーバに蓄積されるデータの構成説明図。
【図３】ブレーキ操作に関する散布図の例示図。
【図４】ハンドル操作に関する散布図の例示図。
【図５】右左折操作に関する散布図の例示図。
【図６】（ａ）、（ｂ）は、安全指数及び事故予測レベルの説明図。
【図７】（ａ）、（ｂ）は、顔画像分析の説明図。
【図８】（ａ）〜（ｃ）は、元気圧と活量値との説明図。
【図９】（ａ）〜（ｃ）は、指示情報の例示図。
【図１０】出庫点呼処理の説明図。
【発明を実施するための形態】
【００１０】
以下、本発明の実施の形態例を、図面を参照して詳細に説明する。
この実施形態では、運転業務における出庫点呼（乗務前点呼）の際に、点呼対象の運転乗務員が運転者本人であることの確認や、運転乗務員の当日の運転の危険度を診断する乗務員管理システムについて説明する。運転の危険度は、運転乗務者の車両運転状況と、不随意反応とにより診断される。運転の危険度により、運転乗務員の当日の運転適格性の客観的な判断が行われる。
【００１１】
＜全体構成＞
図１は、本発明を適用した乗務員管理システムの全体構成例を示す図であり、主として特徴的な部分を掲示してある。この乗務員管理システム１は、インターネット等のデジタルネットワークＮに接続された運行管理装置である管理サーバ１０を含んで構成される。
デジタルネットワークＮには、例えば運転業務を管理する事業所等に設置される点呼端末２０、データサーバ３０の他、図示しない携帯電話等の情報端末も適宜接続され、それぞれ管理サーバ１０とアクセスできるようになっている。
【００１２】
＜点呼端末＞
点呼端末２０は、図１ではデジタルネットワークＮに２台接続される構成であるが、この数は、何台であってもよい。点呼端末２０は、撮像装置２１、集音器２２、カードリーダ・ライタ（Ｒ／Ｗ）２３、表示装置２４、アルコール検出器２５、及び運転免許証リーダ２６が接続される。撮像装置２１は、点呼対象の運転乗務員の顔画像を撮像するカメラである。集音器２２は、点呼対象の運転乗務員の音声を取得するマイクである。表示装置２４は、点呼の際の案内画面や点呼による結果（運転危険度）を表示するディスプレイである。
【００１３】
Ｒ／Ｗ２３は、ドライブレコーダで記録された運転乗務員のブレーキ、アクセル、ハンドル等の運転操作状況を記録した可搬性メモリ媒体の一例となるメモリカード２３１を離脱自在に保持するカード保持機構を備えている。メモリカード２３１には、それが装着されるドライブレコーダを一意に識別するための個体情報、車両の運行日、運転乗務員を識別するための運転乗務員ＩＤ及び運転乗務員名が記録されている。これによりメモリカード２３１は、運行日における運転操作状況が、当該運転乗務員固有のものとして記録されるようになっている。メモリカード２３１に記録される各種データは、運転乗務員による変更が制限されるものである。ドライブレコーダの記録機構は、運転操作状況を運転乗務員に秘匿した形態でメモリカード２３１へ出力する。「秘匿した形態」とは、乗務員の指示に基づかないで自動的に出力されることをいう。点呼端末２０は、Ｒ／Ｗ２３により、メモリカード２３１に書き込まれた運転操作状況を、運転乗務員ＩＤとともに取得することになる。なお、ドライブレコーダは、デジタルネットワークＮを通じてデータサーバ３０と通信を行い、直接、運転操作状況及び運転乗務員ＩＤを送信する通信機構を備えていてもよい。
【００１４】
アルコール検出器２５は、点呼対象の運転乗務員のアルコール検出を行う。運転免許証リーダ２６は、例えば運転乗務員が所持する運転免許証の表面に記載された文字、数字、記号、画像の内容を認識する。点呼端末２０は、運転免許証リーダ２６により認識した運転乗務員名とＲ／Ｗ２３によりメモリカード２３１から取得する運転乗務員名とにより、点呼対象の運転乗務員の本人確認を行う。これらの点呼端末２０の周辺装置自体は、公知のものを使用することができる。
【００１５】
点呼端末２０は、例えばパーソナルコンピュータにより構成され、所定のコンピュータプログラムを実行することで動作する。点呼端末２０は、撮像装置２１から取得する運転乗務員の顔画像を含む撮像データ及び集音器２２から取得する運転乗務員の発話内容を表す発話音データを管理サーバ１０へ送信する。点呼端末２０は、Ｒ／Ｗ２３によりメモリカード２３１から取得する運転乗務員の運転操作状況に応じた車両運転状況を表す運行データを、撮像データ及び発話音データとともにデータサーバ３０へ送信する。また、点呼端末２０は、アルコール検出器２５による検出結果及び運転免許証リーダ２６による運転乗務員の本人確認結果を管理サーバ１０へ送信する。点呼端末２０は、表示装置２４に、管理サーバ１０からの指示に応じた画像を表示する。
【００１６】
＜データサーバ＞
データサーバ３０は、Ｗｅｂサーバであり、点呼端末２０から取得する撮像データ、発話音データ、及び運行データを、運転乗務員毎に蓄積するデータベースとして機能する。図２は、データサーバ３０に蓄積されるデータの構成説明図である。データサーバ３０は、運転乗務員ＩＤに紐付けて撮像データ、発話音データ、及び運行データを蓄積する。これらのデータは、点呼時に、点呼端末２０からデータサーバ３０へ送信される。データサーバ３０は、撮像データ、発話音データ、及び運行データを取得した日時（ここでは日付）毎に格納する。
【００１７】
＜管理サーバ＞
管理サーバ１０は、例えばパーソナルコンピュータにより構成され、本発明の運行管理用コンピュータプログラムを実行することで、通信部１１、解析部１２、検出部１３、診断部１４、及び出力部１５として機能する。管理サーバ１０には表示装置１６が接続される。管理サーバ１０は、点呼端末２０から取得する点呼時（検出日）の撮像データ及び発話音データと、データサーバ３０に格納された点呼時を起算とする所定期間の撮像データ、発話音データ及び運行データと、に基づいて運転乗務員の運転の危険度を診断する。管理サーバ１０は、診断した危険度に応じた指示情報を表示装置１６或いは点呼端末２０へ出力する。なお、本実施形態では、危険度の診断に撮像データ及び発話音データを用いる場合について説明するが、これらのデータの少なくとも一方と運行データとにより危険度の診断が行われてもよい。
【００１８】
通信部１１は、デジタルネットワークＮを介して点呼端末２０及びデータサーバ３０との間で通信を行うための通信インタフェースである。管理サーバ１０が処理に用いる各種データは、通信部１１を介して管理サーバ１０に入力される。また指示情報は、通信部１１により点呼端末２０へ送信される。管理サーバ１０からデータサーバ３０へのデータの書き込みは、通信部１１を介して行われる。
【００１９】
・解析部
解析部１２は、通信部１１によりデータサーバ３０から取得した運転乗務員の運行データに基づいて、該運転乗務員の運転操作の傾向解析を行う。そのために解析部１２は、運転乗務員の運転開始日直前の運行データをデータサーバ３０から取得する。解析部１２は、運行データに含まれるブレーキ操作、アクセル操作、ハンドル操作、又はこれらの複合操作の傾向解析を行う。解析部１２は、複数の運転乗務員の運行データをデータサーバ３０から取得し、複数の運行乗務員の運行データを解析する。解析部１２は、運転乗務員の運転開始日直前の運行データの解析結果を、複数の運転乗務員の運行データの解析結果の統計値に基づいて定量化する。
【００２０】
解析部１２は、定量化を、例えばブレーキ操作、アクセル操作、ハンドル操作、又はこれらの複合操作の散布図を用いて行う。例えば、無事故無違反者と事故違反経験者とでは、ブレーキ操作を行うときの車両の速度と、ブレーキ操作の強度とに相違があり、無事故無違反者は低い速度域で強いブレーキ操作を行う傾向にあり、事故違反経験者は高い速度域で強いブレーキ操作を行う傾向にある。散布図は、このような速度とブレーキ強度との操作傾向を表す。
【００２１】
図３は、ブレーキ操作に関する散布図の例示図である。安全なブレーキ操作の散布図と事故が予知される危険なブレーキ操作の散布図とを比較すると、安全なブレーキ操作の方が、ブレーキをかけるときの速度、ブレーキをかける強さ、及びブレーキ操作のおだやかさのばらつきが少ない。安全なブレーキ操作の場合、危険なブレーキ操作の場合よりも低速でブレーキ操作が開始され、ブレーキをかける強さも低い値になり、やわらかなブレーキ操作が行われる傾向にある。そのために、安全なブレーキ操作の場合、ブレーキ操作のおだやかさを表す点が、危険なブレーキ操作の場合よりも低めの値に集まる。つまり、安全なブレーキ操作とは、低速で行われるやわらかなブレーキ操作であり、危険なブレーキ操作とは、高速で行われる急なブレーキ操作である。
【００２２】
図４は、ハンドル操作に関する散布図の例示図である。安全なハンドル操作の散布図と事故が予知される危険なハンドル操作の散布図とを比較すると、安全なハンドル操作の方が、ハンドル操作中の最大速度、ハンドル操作の角度、及びハンドル操作のおだやかさのばらつきが少ない。安全なハンドル操作の場合、危険なハンドル操作の場合よりも操作中の最大速度が低速であり、ハンドルの角度も小さく、ゆるやかなハンドル操作が行われる傾向にある。そのために、安全なハンドル操作の場合、ハンドル操作のおだやかさを表す点が、危険なハンドル操作の場合よりも低めの値に集まる。つまり、安全なハンドル操作とは、充分減速して行われるゆるやかなハンドル操作であり、危険なハンドル操作とは、減速せずに行われる急激なハンドル操作である。
【００２３】
図５は、右左折操作に関する散布図の例示図である。安全な右左折操作の散布図と事故が予知される危険な右左折操作の散布図とを比較すると、安全な右左折操作の方が、右左折操作開始時の速度（例えば交差点進入時の速度）、ハンドルの角度、及び右左折操作時の最大速度（例えば交差点時の最大速度）のばらつきが少ない。安全な右左折操作の場合、危険な右左折操作の場合よりも操作開始時の速度及び操作中の最大速度が低速であり、ハンドルの角度も小さい傾向にある。そのために、安全な右左折操作の場合、右左折により生じる遠心力を表す点が、危険な右左折操作の場合よりも低めの値に集まる。つまり、安全な右左折操作とは、例えば、充分減速して交差点に進入し、交差点内の最大速度が低く、遠心力の低いハンドル操作であり、危険な右左折操作とは、例えば交差点に高速のまま進入し、交差点の最大速度が高く、遠心力の高いハンドル操作である。
【００２４】
解析部１２は、複数の運転乗務員の運行データによる散布図の分布状況と、点呼対象の運転乗務員の過去の運行データによる散布図の分布状況、及び該運転乗務員の事故の有無を用いて学習を行い、運転乗務員の運行開始日直前の運行データの解析結果の定量化を行う。この際、解析部１２は、道路状況、天気、気温、季節、曜日、渋滞予想等を考慮して運行データの解析を行ってもよい。
【００２５】
解析部１２は、定量化により、複数段階（本実施形態では５段階）の事故予測レベル及び安全指数で表される運転診断データを生成して出力する。図６は、安全指数及び事故予測レベルの説明図である。解析部１２は、定量化した運転乗務員の運行開始日直前の所定期間（本実施形態では１週間）の運行データの解析結果である事故予測率を日毎に算出し、所定期間の事故予測率の平均値を算出する。図６（ａ）は、１週間の事故予測率とその平均値を例示する。解析部１２は、１週間の事故予測率の平均値に応じて、事故予測レベル及び安全指数を取得する。図６（ｂ）は、事故予測率の平均値と、事故予測レベル及び安全指数との関係を例示する。事故予測レベルは、Level1〜Level5の５段階で表される。安全指数は、事故予測レベルに対応して、「１００」、「８０」、「６０」、「４０」、「２０」の５段階で表される。この例では、１週間の事故予測率の平均値が０．３２であるために、事故予測レベルがLevel3であり、安全指数が６０となる。事故予測値が高い程、事故予測レベルが高くなり、安全指数が低い値になる。
【００２６】
・検出部
検出部１３は、運転開始前に、当日の運転乗務員の顔画像の撮像データと当日の運転乗務員の発話音データとの少なくとも一方を、通信部１１を介して点呼端末２０から取得し、取得したデータを用いて運転乗務員の不随意反応を検出する。検出部１３は、データサーバ３０から該運転乗務員の以前の顔画像と発話音データとの少なくとも一方を取得し、当日の顔画像或いは発話音の特徴と、以前の顔画像或いは発話音の特徴とを比較することで、運転乗務員の当日の不随意反応を検出する。
【００２７】
・顔画像による不随意反応検出
顔画像の撮像データを用いて不随意反応を検出する場合、検出部１３は、撮像データと所定の参照データとの照合処理により運転乗務員の表情を抽出する。参照データは、顔画像から表情を抽出する際の判断基準となる画像である。検出部１３は、顔画像と参照データとを比較し、その差異に応じて運転乗務員の表情を抽出する。検出部１３は、点呼時点で取得した顔画像から抽出した表情と、それ以前の顔画像から抽出した当該運転乗務員の表情とを比較することで、不随意反応を検出する。検出部１３は、照合処理により、怒り、軽蔑、嫌悪、恐怖、喜び、悲しみ、驚きのうち、それ以前に抽出して記憶されたものと異なる一以上の特徴を不随意反応として検出する。
【００２８】
検出部１３は、それ以前の顔画像から抽出した運転乗務員の表情を、例えばデータサーバ３０から以前の該運転乗務員の画像データを取得し、取得した画像データと参照データとの照合処理により抽出してもよい。また、検出部１３は、顔画像から運転乗務員の表情を抽出する度にデータサーバ３０に抽出結果を格納し、顔画像から不随意反応を検出する際に、データサーバ３０から、抽出結果を、それ以前の顔画像から抽出した運転乗務員の表情として取得してもよい。
【００２９】
検出部１３は、顔画像の画像データと参照データとの照合処理により、顔表情から感情分析を行うことで、運転乗務員の表情を抽出する。感情分析は、撮像データの顔画像から表情の画像分析により７分類（怒り、軽蔑、嫌悪、恐怖、喜び、悲しみ、驚き）の感情要素を評点化して行われる。また、検出部１３は、顔画像から瞼挙動解析により眠気度合を検出して睡眠状況を把握する。
図７は、顔画像分析の説明図である。図７（ａ）の例では、７分類の感情要素の評点（スコア）は、「喜び」が「１００．００」、「驚き」が「０５．００」であり、他が「００．００」である。検出部１３は、点呼時の顔画像から取得した７分類の各感情要素と、各感情要素の平均スコアとを比較することで  不随意反応を表す値を検出する。
【００３０】
・発話音による不随意反応検出
発話音データを用いて不随意反応を検出する場合、検出部１３は、発話音データの音声処理により該運転乗務員に固有の音帯特徴を抽出する。検出部１３は、抽出した音帯特徴をそれ以前に抽出した当該運転乗務員の音帯特徴と比較することで、運転乗務員の不随意反応を検出する。例えば検出部１３は、点呼時点で取得した発話音データから抽出した音帯特徴と、それ以前に抽出した運転乗務員の音帯特徴との比較結果に応じて、体調に応じて数値が変化する元気圧を算定する。検出部１３は、それ以前に算定して記憶された該運転乗務員の元気圧との差分値を不随意反応として検出する。
【００３１】
検出部１３は、それ以前の発話音から抽出した運転乗務員の音帯特徴を、例えばデータサーバ３０から以前の該運転乗務員の発話音データを取得し、取得した発話音データから抽出してもよい。また、検出部１３は、それ以前の発話音から音帯特徴を抽出する度にデータサーバ３０に抽出結果を格納し、発話音データから不随意反応を検出する際に、データサーバ３０から、抽出結果を、それ以前の発話音から抽出した運転乗務員の音帯特徴として取得してもよい。
【００３２】
「元気圧」は、発話時の心の状態、元気さの度合いを表す値であり、声の周波数を解析することで得られる。検出部１３は、元気圧を一定期間累積して分析した長期的な心の元気さの傾向（上昇・安定・下降）を「活量値」として表す。図８は、元気圧と活量値との説明図である。図８（ａ）は１週間の元気圧を例示する。図８（ｂ）は１週間の活量値を例示する。検出部１３は、元気圧（Ｇ）と活量値（Ｋ）との平均値（（Ｇ＋Ｋ）／２）を、不随意反応を表す値として検出する（図８（ｃ））。
【００３３】
・診断部
診断部１４は、解析部１２による定量化された解析結果及び検出部１３による不随意反応の検出結果を所定条件と照合することにより、運転乗務員の検出日の運転危険度を診断する。診断部１４は、診断結果である危険度を出力部１５へ出力する。出力部１５は、危険度に応じた指示情報を表示装置１６により出力する。なお、出力部１５は、指示情報を表示装置１６に表示させる他に、通信部１１により点呼端末２０へ送信して、点呼端末２０の表示装置２４に表示させてもよい。
【００３４】
図９は、表示装置１６により出力される指示情報の例示図である。図９（ａ）は、指示情報を含む点呼記録表の全体図である。図９（ｂ）は、点呼記録表の項目の拡大図である。点呼記録表は、表示装置１６に表示される。運行管理者は、点呼時に表示装置１６に表示される点呼記録表を確認し、その内容を判断の根拠として、運転操作者に対して点呼、指示を行うことになる。運転操作者は、点呼端末２０に接続される表示装置２４に表示された点呼記録表を確認しながら運行管理者による点呼を受けることで、自身の運転時の危険度等を確認することができる。
【００３５】
点呼記録表は、電子化されて管理サーバ１０に保存されており、乗務前点呼の結果と乗務後点呼の結果とが、車両、運転者名、運行内容行先・顧客名毎に記録される。乗務前点呼の結果は、点呼方法、点呼場所、点呼時間、日常点検の確認、危険度予測ツール判定、健康状態疾病疲労睡眠不足、アルコールの検出結果、点呼執行者（運行管理者名）、及び指示事項が含まれる。乗務後点呼の結果は、点呼方法、点呼場所、点呼時間、健康状態疾病疲労、アルコールの検出結果、点呼執行者（運行管理者名）、前日休憩時間、１ヶ月拘束時間、及び指示事項が含まれる。運行管理者は、点呼記録表に基づく点呼を行った後に、点呼記録表に必要事項を入力し、後日の点呼時に活用することができる。
【００３６】
点呼記録表は、診断部１４による診断結果である危険度を「危険度予知ツール判定」の項目に表示する。危険度は赤、黄又は緑として表される。診断部１４による診断の結果、危険度が赤や黄で表される場合、「指示事項等」の項目に診断結果に応じた注意事項が有る旨が表示される。図９（ｂ）の例では、危険度が黄であり、注意事項が有る旨が表示されている。運行管理者が「危険度予知ツール判定」の黄の判定ボタンを選択することで、管理サーバ１０による危険度の判定根拠となった運転操作傾向や不随意反応の検出結果による診断結果が表示装置１６に表示される。運行管理者は、これにより運転乗務員への運転指導を行うことができる。また運行管理者は、乗務後点検の際に、前日の休憩時間及び１ヶ月拘束時間を確認し、運転乗務員に対して指示等を行うことができる。
【００３７】
図９（ｃ）は、診断結果の詳細の例示図である。診断結果の詳細には、運転診断の結果、顔画像の画像データによる診断結果、及び発話音データによる診断結果が含まれる。診断部１４は、解析部１２から取得する定量化された傾向解析の解析結果（運転診断データ）に対して所定の基準に基づくスコアを付与する。図９（ｃ）の例では、診断部１４は、解析部１２から取得する定量化された傾向解析の解析結果（事故予測レベル、安全指数）に対して、「６０」のスコアを付与する。診断部１４は、このように付与する運転診断データに応じたスコアを、検出日から起算して所定期間毎に集計する。
【００３８】
診断部１４は、検出部１３から取得する不随意反応の検出結果に対して所定の基準に基づくスコアを付与する。診断部１４は、顔画像の画像データから不随意反応が検出された場合、感情分析及び週間感情起伏線の平均スコアに基づくスコアを付与する。図７（ｂ）は、週間感情起伏線を例示する。診断部１４は、感情要素毎にスコアの１週間の平均スコアを算出する。週間感情起伏線は、過去の所定期間（例えば１週間）の感情要素のスコアの平均値を繋いだ線である。図９（ｃ）の例では、診断部１４は、顔画像の画像データから検出された不随意反応に対して「６０」のスコアを付与する。診断部１４は、このように付与する顔画像データに応じたスコアを、検出日から起算して所定期間毎に集計する。
【００３９】
診断部１４は、発話音データから不随意反応が検出された場合、元気圧及び活量値に基づくスコアを付与する。図８（ｃ）で例示した発話音データから検出された不随意反応を表す値に対して、図９（ｃ）の例では、診断部１４は、「８０」のスコアを付与する。診断部１４は、このように付与する発話音データに応じたスコアを、検出日から起算して所定期間毎に集計する。
【００４０】
診断部１４は、各スコアの集計結果の合計値に応じて、検出日における運転操作傾向が複数レベルの危険度のいずれのレベルに属するかを決定する。図９（ｃ）の例では、診断部１４は、各スコアの合計値が「２００」であるために、危険度がレンジ「９０〜２１０」のレベルに属すると決定する。危険度がレンジ「３００〜２３０」である場合、診断部１４は、出力部１５に緑の色画像を表示させる指示情報を出力させる。危険度がレンジ「２１０〜９０」である場合、診断部１４は、出力部１５に黄の色画像を表示させる指示情報を出力させる。危険度がレンジ「９０〜２０」である場合、診断部１４は、出力部１５に赤の色画像を表示させる指示情報を出力させる。
【００４１】
色画像やメッセージの表示により、運行管理者は、運転乗務員の危険度により当日の運転適格性を把握することができる。運行管理者は、表示装置１６に表示される点呼記録表やメッセージと、当該運転乗務員の勤務時間や残業時間を表す労務管理データと、により総合的に運転乗務員による車両の運行の可否を判断する。運行管理者は、これにより運転乗務員への運転指導や、運転の停止を指示することができる。なお、診断部１４は、点呼端末２０から取得するアルコールの検出結果が規定値以上の場合や運転免許証による運転乗務員の本人確認結果が運転乗務員と一致しない場合には、診断処理を行わずに、乗務を許可しない旨のメッセージを表示装置１６や点呼端末２０の表示装置２４に表示させてもよい。これにより、運行管理者は、飲酒運転や運転免許証の不携帯を事前に防止することができる。
【００４２】
＜運用形態＞
図１０は、管理サーバ１０による出庫点呼処理の説明図である。管理サーバ１０は、出庫点呼時に点呼端末２０から点呼処理の依頼を受け付けることで、出庫点呼処理を開始する。管理サーバ１０は、出庫点呼処理を開始すると、まず、点呼端末２０から運行データと、顔画像の画像データ及び発話音データの少なくとも一方と、アルコールの検出結果と、運転免許証による運転乗務員の本人確認結果と、を通信部１１により取得する（Ｓ１０１）。管理サーバ１０は、取得したアルコールの検出結果及び運転免許証による運転乗務員の本人確認結果により、アルコールの検出結果が規定値以上であるか否か及び運転免許証が運転者本人であるか否かを確認して、出庫点呼処理を継続するか否かを判定する（Ｓ１０２）。
【００４３】
アルコールの検出結果が規定値以上の場合や運転免許証の認識結果が運転者本人と一致しない場合、管理サーバ１０は、出庫点呼処理を中止する（Ｓ１０２：N）。管理サーバ１０は、表示装置１６及び点呼端末２０の表示装置２４に、乗務を許可しない旨のメッセージを表示させて処理を終了する（Ｓ１０３）。
【００４４】
アルコールの検出結果が規定値未満、且つ運転免許証の認識結果が運転者本人と一致する場合、管理サーバ１０は、出庫点呼処理を継続する（Ｓ１０２：Y）。管理サーバ１０は、解析部１２により運行データを解析し、定量化された解析結果を出力する（Ｓ１０４）。管理サーバ１０は、検出部１３により顔画像の画像データ及び発話音データの少なくとも一方に基づいて、運転乗務員の不随意反応を検出し、検出結果を出力する（Ｓ１０５）。
【００４５】
診断部１４は、解析部１２から出力される定量化された解析結果及び検出部１３から出力される不随意反応の検出結果を取得し、解析結果及び不随意反応の検出結果に基づいて運転乗務員の運転危険度を診断する（Ｓ１０６）。診断部１４は、診断結果を出力部１５へ送信する。出力部１５は、診断結果が危険度予測ツールの項目に入力された点呼記録表を表示装置１６及び点呼端末２０の表示装置２４に表示させる（Ｓ１０７）。運行管理者は、表示装置１６に表示される点呼記録表に基づいて、運転乗務員による車両運行の可否を判断する。
【００４６】
＜実施携帯の効果＞
このように本実施形態の乗務員管理システム１を用いることで、運行管理者は、主観のみの判断ではなく、過去に取得してデータサーバ３０に格納しているビッグデータから得られる平素のデータとの比較分析結果を考慮した、総合的な定量化されたデータにより、運転乗務員の安全運転に資する高度な出庫点呼を行うことができる。具体的には、運行管理者は、運転乗務員の運転危険度やその時点の運転乗務員の状態を、点呼に際して取得したデータと過去に取得したデータとの比較分析結果を含む点呼記録表を参照して判断することができる。これにより運行管理者は、乗務員管理システム１により運転乗務員本人ですら認識できない集中力欠如を表示させる兆候の察知を容易に行い、労働管理を適正なものとすることができる。
【００４７】
例えば乗務員管理システム１は、運転開始日直前のブレーキ操作、アクセル操作、ハンドル操作又はこれらの複合操作の傾向解析の結果を複数の運転者の解析結果の統計値に基づいて定量化する。例えば乗務員管理システム１は、複数の運転者のブレーキ操作、アクセル操作、ハンドル操作又はこれらの複合操作の解析結果の散布図に基づいて定量化する。乗務員管理システム１は、傾向解析の結果に対して所定の基準に基づくスコアを付与するとともに、検出日を起算とする所定期間毎にスコアを集計し、集計結果に基づいて検出日における運転操作傾向を複数レベルの危険度のうちいずれのレベルに属するかを決定する。このような乗務員管理システム１は、複数の運転者の運転操作の解析結果の統計値を用いることで、点呼対象の運転者の運転操作傾向から事故発生の危険度を適切に決定することができる。運行管理者は、運転乗務員の運転危険度を総合的な定量化されたデータにより判断して、労働管理を適正なものとすることができる。
【００４８】
本実施形態の乗務員管理システム１は、撮像データと所定の参照データとの照合処理により運転者の表情（怒り、軽蔑、嫌悪、恐怖、喜び、悲しみ、驚き）を抽出し、抽出した表情をそれ以前に抽出した運転者の表情と比較することにより、不随意反応を検出する。乗務員管理システム１は、検出された特徴に対して所定の基準に基づくスコアを付与するとともに、検出日を起算とする所定期間毎にスコアを集計し、集計結果に基づいて検出日における不随意反応を複数レベルの危険度のうちいずれのレベルに属するかを決定する。このような乗務員管理システム１は、運転者の過去の顔の表情との比較により検出される不随意反応に基づく危険度の決定が可能となる。そのために運行管理者は、乗務員管理システム１により運転乗務員本人ですら認識できない集中力欠如を表示させる兆候の察知を容易に行い、労働管理を適正なものとすることができる。
【００４９】
本実施形態の乗務員管理システム１は、運転者に固有の音帯特徴を、それ以前に抽出した運転者の音帯特徴と比較することにより、不随意反応を検出する。例えば、乗務員管理システム１は、音帯特徴から体調に応じて数値が変化する元気圧を算定するとともに、それ以前に算定された運転者の元気圧との差分値を不随意反応として検出する。
乗務員管理システム１は、検出された差分値に対して所定の基準に基づくスコアを付与するとともに、検出日を起算とする所定期間毎にスコアを集計し、集計結果に基づいて検出日における不随意反応を複数レベルの危険度のうちいずれのレベルに属するかを決定する。このような乗務員管理システム１は、運転者の過去の元気圧との比較により検出される不随意反応に基づく危険度の決定が可能となる。そのために運行管理者は、乗務員管理システム１により運転乗務員本人ですら認識できない集中力欠如を表示させる兆候の察知を容易に行い、労働管理を適正なものとすることができる。
【００５０】
本実施形態の乗務員管理システム１は、診断結果を赤、黄又は緑の色画像と対応付けて、所定の表示装置に表示させる。また、診断結果に対応するメッセージ情報を出力する。運行管理者は、診断結果が色画像で表示されるために、診断結果の目視確認を容易に行えるようになる。また、診断結果に対応するメッセージ情報が出力されるために、運行管理者は、運転乗務員への的確な指示が可能である。
【符号の説明】
【００５１】
１…乗務員管理システム、１０…管理サーバ、２０…点呼端末、３０…データサーバ、２１…撮像装置、２２…集音器、２３…カードリーダ・ライタ（Ｒ／Ｗ）、１６，２４…表示装置、１１…通信部、１２…解析部、１３…検出部、１４…診断部、１５…出力部、２３１…メモリカード、Ｎ…デジタルネットワーク。
【図１】
2020030552.tif 000003
【図２】
2020030552.tif 000004
【図３】
2020030552.tif 000005
【図４】
2020030552.tif 000006
【図５】
2020030552.tif 000007
【図６】
2020030552.tif 000008
【図７】
2020030552.tif 000009
【図８】
2020030552.tif 000010
【図９】
2020030552.tif 000011
【図１０】
2020030552.tif 000012